(57)【特許請求の範囲】
【請求項１】
プログラムされたコンピュータによってエアブローシステムの機器を選定する方法であって、現状のノズル径、ワーク距離、ノズル直前圧又はブロー衝突圧が現状値として第１現状入力手段によって入力され、現状値から圧縮空気の消費流量、ブロー衝突圧又はノズル直前圧が第１演算手段によって演算され、圧縮空気の消費流量を小さくするため、ノズル径又はノズル直前圧の改善値が改善入力手段によって入力され、現状値及び改善値から圧縮空気の消費流量、ノズル直前圧又はノズル径が必要回数だけ第２演算手段によって演算され、第１演算手段による演算結果及び第２演算手段による演算結果が同時にパソコン画面に表示され、演算結果の中から圧縮空気の消費流量最低のノズル径又はノズル直前圧が採用されるエアブローシステムの機器選定方法。
【請求項２】
プログラムされたコンピュータによってエアブローシステムの機器を選定する方法であって、現状の(1) ノズル径、(2) ノズル個数、(3) ノズル直前圧、ブロー衝突圧、減圧弁２次側圧のうちのいずれか一つ、(4) 合成音速コンダクタンス又は合成有効断面積、(5) 配管の材質、(6) 配管長さが現状値として第２現状入力手段によって入力され、推奨回路を選定する際の基準として上流側圧力損失又はコンダクタンス比が設定値として第１推奨回路設定入力手段によって入力され、現状の上流側圧力損失及びコンダクタンス比が第３演算手段によって演算され、第３演算手段によって演算された現状の上流側圧力損失・コンダクタンス比が設定値を満たすか否かが判断手段によって判断され、満たさないと判断された場合に、設定値を満たす推奨回路電磁弁音速コンダクタンス及び推奨回路配管内径が第４演算手段によって演算され、第３演算手段による演算結果及び第４演算手段による演算結果が同時にパソコン画面に表示され、演算された推奨回路電磁弁音速コンダクタンス及び推奨回路配管内径に適合した上流配管系機器及び減圧弁が選定されるエアブローシステムの機器選定方法。
【請求項３】
プログラムされたコンピュータによってエアブローシステムの機器を選定する方法であって、新規のノズル径、ノズル個数、ノズル直前圧又はブロー衝突圧が新規値として新規入力手段によって入力され、推奨回路を選定する際の基準として上流側圧力損失又はコンダクタンス比が設定値として第２推奨回路設定入力手段によって入力され、新規値及び設定値から、設定値を満たす推奨回路電磁弁音速コンダクタンス及び推奨回路配管内径が第４演算手段によって演算され、演算された推奨回路電磁弁音速コンダクタンス及び推奨回路配管内径に適合した上流配管系機器及び減圧弁が選定されるエアブローシステムの機器選定方法。
【請求項４】
コンピュータによってエアブローシステムの機器を選定するためのプログラムを記録した記録媒体であって、現状のノズル径、ワーク距離、ノズル直前圧又はブロー衝突圧が現状値として第１現状入力手段によって入力され、現状値から圧縮空気の消費流量、ブロー衝突圧又はノズル直前圧が第１演算手段によって演算され、圧縮空気の消費流量を小さくするため、ノズル径又はノズル直前圧の改善値が改善入力手段によって入力され、現状値及び改善値から圧縮空気の消費流量、ノズル直前圧又はノズル径が必要回数だけ第２演算手段によって演算され、第１演算手段による演算結果及び第２演算手段による演算結果が同時にパソコン画面に表示され、演算結果の中から圧縮空気の消費流量最低のノズル径又はノズル直前圧が採用されるエアブローシステムの機器選定プログラムを記録した記録媒体。
【請求項５】
コンピュータによってエアブローシステムの機器を選定するためのプログラムを記録した記録媒体であって、現状の(1) ノズル径、(2) ノズル個数、(3) ノズル直前圧、ブロー衝突圧、減圧弁２次側圧のうちのいずれか一つ、(4) 合成音速コンダクタンス又は合成有効断面積、(5) 配管の材質、(6) 配管長さが現状値として第２現状入力手段によって入力され、推奨回路を選定する際の基準として上流側圧力損失又はコンダクタンス比が設定値として第１推奨回路設定入力手段によって入力され、現状の上流側圧力損失及びコンダクタンス比が第３演算手段によって演算され、第３演算手段によって演算された現状の上流側圧力損失・コンダクタンス比が設定値を満たすか否かが判断手段によって判断され、満たさないと判断された場合に、設定値を満たす推奨回路電磁弁音速コンダクタンス及び推奨回路配管内径が第４演算手段によって演算され、第３演算手段による演算結果及び第４演算手段による演算結果が同時にパソコン画面に表示され、演算された推奨回路電磁弁音速コンダクタンス及び推奨回路配管内径に適合した上流配管系機器及び減圧弁が選定されるエアブローシステムの機器選定プログラムを記録した記録媒体。
【請求項６】
コンピュータによってエアブローシステムの機器を選定するためのプログラムを記録した記録媒体であって、新規のノズル径、ノズル個数、ノズル直前圧又はブロー衝突圧が新規値として新規入力手段によって入力され、推奨回路を選定する際の基準として上流側圧力損失又はコンダクタンス比が設定値として第２推奨回路設定入力手段によって入力され、新規値及び設定値から、設定値を満たす推奨回路電磁弁音速コンダクタンス及び推奨回路配管内径が第４演算手段によって演算され、演算された推奨回路電磁弁音速コンダクタンス及び推奨回路配管内径に適合した上流配管系機器及び減圧弁が選定されるエアブローシステムの機器選定プログラムを記録した記録媒体。
【発明の詳細な説明】
【０００１】
【発明の属する技術分野】
本発明は、コンピュータによって、圧縮空気の噴流を連続的に流すエアブローシステムの機器を選定する方法及びその記録媒体に関する。
【０００２】
【従来の技術】
各種のノズルや手動のエアガンなどにより、圧縮空気の連続的な噴流をワークに直接当てて、水切り、切り粉払い、冷却をしたり、真空エジェクタにより吸引搬送などの仕事をするエアブローの用途が存在する。そして、エアブローの効果（ブロー衝突圧等）は、ノズル径、ノズル直前圧、ワーク距離（ノズルとワークとの間の距離）により決まることが知られている。
【０００３】
省エネルギーが時代の要請になり、圧縮空気を連続的に使用するエアブローシステムにとって省エネルギー化（利用効率の向上）は解決すべき重要な問題となった。エアブローシステムにおいて、省エネルギー化すべき事項は、配管系における圧力降下を減少させること、及びエアブローの効果を向上させることである。しかし、エアブローシステムでの圧力降下の減少及びエアブローの効果の向上のための計算は大変手間がかかり、殆ど行われていなかった。
【０００４】
【発明が解決しようとする課題】
本発明は、エアブローシステムにおいて、圧縮空気の消費流量を減少させるためエアブローノズルのノズル径、ノズル直前圧、ブロー衝突圧及びワーク距離の演算を容易に行うことを第１課題とし、ノズル上流の配管系の上流側圧力損失又はコンダクタンス比を所定値に維持するための上流配管系機器及び減圧弁を選定することを第２課題とする。
【０００５】
【課題を解決するための手段】
本発明では、エアブローシステムの圧縮空気の消費流量を減少させるため、エアブローノズルの最適なノズル径、ノズル直前圧、ブロー衝突圧及びワーク距離の演算を容易に行い、ノズル上流配管系の上流側圧力損失又はコンダクタンス比を所定値に維持するための上流配管系機器及び減圧弁を選定できるようにした。具体的には、エアブローノズルの現状のノズル径、ワーク距離、ノズル直前圧又はブロー衝突圧が現状値として第１現状入力手段によって入力され、現状値から圧縮空気の消費流量、ブロー衝突圧又はノズル直前圧が第１演算手段によって演算され、圧縮空気の消費流量を小さくするため、ノズル径又はノズル直前圧の改善値が改善入力手段によって入力され、現状値及び改善値から圧縮空気の消費流量、ノズル直前圧又はノズル径が必要回数だけ第２演算手段によって演算され、第１演算手段による演算結果及び第２演算手段による演算結果が同時にパソコン画面に表示され、演算結果の中から圧縮空気の消費流量最低のノズル径又はノズル直前圧が採用される。
また、ノズル上流配管系の現状の(1) ノズル径、(2) ノズル個数、(3) ノズル直前圧、ブロー衝突圧、減圧弁２次側圧のうちのいずれか一つ、(4) 合成音速コンダクタンス又は合成有効断面積、(5) 配管の材質、(6) 配管長さが現状値として第２現状入力手段によって入力され、推奨回路を選定する際の基準として上流側圧力損失又はコンダクタンス比が設定値として第１推奨回路設定入力手段によって入力され、現状の上流側圧力損失及びコンダクタンス比が第３演算手段によって演算され、第３演算手段によって、演算された現状の上流側圧力損失・コンダクタンス比が設定値を満たすか否かが判断手段によって判断され、満たさないと判断された場合に、設定値を満たす推奨回路電磁弁音速コンダクタンス及び推奨回路配管内径が第４演算手段によって演算され、第３演算手段による演算結果及び第４演算手段による演算結果が同時にパソコン画面に表示され、演算された推奨回路電磁弁音速コンダクタンス及び推奨回路配管内径に適合した上流配管系機器及び減圧弁が選定される。
さらに、ノズル上流配管系の新規のノズル径、ノズル個数、ノズル直前圧又はブロー衝突圧が新規値として新規入力手段によって入力され、推奨回路を選定する際の基準として上流側圧力損失又はコンダクタンス比が設定値として第２推奨回路設定入力手段によって入力され、新規値及び設定値から、設定値を満たす推奨回路電磁弁音速コンダクタンス及び推奨回路配管内径が第４演算手段によって演算され、演算された推奨回路電磁弁音速コンダクタンス及び推奨回路配管内径に適合した上流配管系機器及び減圧弁が選定される。
【０００６】
【発明の実施の形態】
図１〜図１０は、本発明のエアブローシステムの機器選定方法の実施の形態を示す。図１は本発明の実施の形態全体のフローを示すフローチャートであり、図２〜図６は図１中のステップＳ３，ステップＳ６，ステップＳ１７，ステップＳ２３，ステップＳ２６のそれぞれ演算のフローを示すフローチャートである。図７〜図１０はパソコンの画面を示し、操作者がこの画面をみながらパソコンを操作し、図１〜図６のフローに従って機器を選定する。
【０００７】
本発明の実施の形態において、エアブローシステム最適化のための機器選定は、エアブローノズルの最適化と上流配管系の最適化に分けられる。エアブローノズルの最適化は、入力条件として与えられたブロー衝突圧一定という条件のもとで、エアブローノズルのノズル径、ノズル直前圧、ワーク距離、消費流量を適正化するものである。また、上流配管系の最適化は、入力条件として与えられた上流側圧力損失又はコンダクタンス比を満たすための、上流配管系機器（電磁弁、配管）及び減圧弁の機器品番を選定するものである。
【０００８】
図１のフローチャートのプログラムがスタートすると、ステップＳ１で「エアブローノズルの最適化」を選択するか、「上流配管系の最適化」を選択するかが問われる。ステップＳ１で「エアブローノズルの最適化」を選択し、パソコンの画面で「エアブローノズルの最適化」のタグをクリックすると、パソコン画面が図７の形式の「エアブローノズルの最適化」の画面に切り換えられる。ただし、図７は２回の改善操作をした後の状態を示し、切り換え直後の図７の形式の画面では、データは一切記入されておらず、大枠内の左下の位置の「現状変更」ボタンは「現状入力」ボタンとなっている。
【０００９】
図１のステップＳ２で現状入力を行う。パソコン画面の「現状入力」ボタンをクリックすると、パソコン画面が図８に切り換えられので、図８の入力欄に▲１▼ノズルの種類（先細ノズル又は細管ノズル）及び細管ノズルを選択したときはノズル長さ、▲２▼ノズル径（ノズル内径）、▲３▼ノズル直前圧又はブロー衝突圧、▲４▼ワーク距離の現状値を入力する。図８の入力された現状値に間違いのないことを確認してから、画面右下の「決定」ボタンをクリックする。画面が図７に換えられ、「計算」ボタンをクリックすると、ステップＳ３の演算１が行われる。
【００１０】
ステップＳ３の演算１は、図２のフローチャートに従って行われ、ステップＳ３−１でノズルの種類として先細ノズル、細管ノズルのどちらを入力▲１▼で選択したかが判別される。そして、ステップＳ３−１で先細ノズルを選択したと判別されたときは、ステップＳ３−２で、ノズル直前圧、ブロー衝突圧のどちらを入力▲３▼で入力したかが判別される。ステップＳ３−２でノズル直前圧を入力したと判別されたときは、ステップＳ３−３でブロー衝突圧の計算が、ステップＳ３−３の枠内に記入された計算式に従って行われる。ステップＳ３−２でブロー衝突圧を入力したと判別されたときは、ステップＳ３−４でノズル直前圧の計算が、ステップＳ３−４の枠内に記入された計算式に従って行われる。
【００１１】
ステップＳ３−３又はステップＳ３−４の計算が行われた後に、ステップＳ３−５で圧縮空気の消費流量の計算が、ステップＳ３−５の枠内に記入された計算式に従って行われる。
【００１２】
ステップＳ３−１で細管ノズルを選択したと判別されたときは、ステップＳ３−６で、細管ノズルの内径が先細ノズルの内径に換算され、この換算はステップＳ３−６の枠内に記入された計算式に従って行われる。次にステップＳ３−７へ進み、このステップで、ノズル直前圧、ブロー衝突圧のどちらを入力▲３▼で入力したかが判別される。ステップＳ３−７で、ブロー衝突圧を入力したと判別されたときは、ステップＳ３−８でノズル直前圧の計算が、ステップＳ３−８の枠内に記入された計算式に従って行われ、ステップＳ３−１０へ進む。ステップＳ３−７で、ノズル直前圧を入力したと判別されたときは、ステップＳ３−９でブロー衝突圧の計算が、ステップＳ３−９の枠内に記入された計算式に従って行われ、ステップＳ３−８へ進む。ステップＳ３−１０で圧縮空気の消費流量の計算が、ステップＳ３−１０の枠内に記入された計算式に従って行われ、ステップＳ３−５の計算又はステップＳ３−１０の計算が行われると、図１のステップＳ４に進む。
【００１３】
図１のステップＳ４でステップＳ３の演算１の結果が出力され、図７の左側上方部の枠内に演算結果の値（現状）が表示されることとなる。次に、図７の「登録」ボタンをクリックすると、演算結果の値（現状）がその下の表に登録される。現状値の入力例は、先細ノズル内径４ｍｍ、ノズル直前圧０．０２ＭＰａ  、ワーク距離３００ｍｍであり、演算された圧縮空気の消費流量は１２１．３９ｄｍ３／ｍｉｎ（ＡＮＲ）であって、図７の登録欄（現状）に表示されている。
【００１４】
消費流量をもっと小さくするために、前記の演算結果から判断して、エアブローノズルのワーク距離、ブロー衝突圧一定という条件で、ノズル径又はノズル直前圧を適宜変更した改善値を入力し、再度必要な、希望する回数だけ演算ができるように構成されている。入力例では、ノズル内径を改善値１ｍｍに変更した場合（改善１）及びノズル直前圧を改善値０．４ＭＰａ  に変更した場合（改善２）について演算し、演算結果の消費流量を現状の消費流量と比較している。
【００１５】
図１のステップＳ５で、前記改善１で示したデータを改善値として入力し、ステップＳ６で演算２を行う。ステップＳ６の演算２は、図３のフローチャートに従って行われ、ステップＳ６−１で改善値としてノズル径を入力したか、ノズル直前圧を入力したかが判別される。ステップＳ６−１でノズル径の改善値を入力したと判別されたときは、ステップＳ６−３で、ノズル直前圧の計算が、ステップＳ６−３の枠内の計算式に従って行われ、ステップＳ６−４へ進む。
【００１６】
ステップＳ６−１で改善値としてノズル直前圧を入力したと判別されたときは、ステップＳ６−２でノズル径の計算が、ステップＳ６−２の枠内に記入された計算式に従って行われ、ステップＳ６−４へ進む。ステップＳ６−４で圧縮空気の消費流量の計算が、ステップＳ６−４の枠内に記入された計算式に従って行われ、図  １のステップＳ７へ進む。
【００１７】
図１のステップＳ７でステップＳ６の演算２の結果が出力され、図７の左側上方部の枠内に演算結果のデータ（改善１）が表示されることとなる。なお、図７では、既に改善１の結果が登録欄に表示されている。
【００１８】
図１のステップＳ８で、改善１の演算結果を登録するか否かの選択が行われる。ステップＳ８で演算結果の登録を選択したときは、ステップＳ９で演算結果を登録してステップＳ１０へ進み、ステップＳ８で演算結果を登録しないを選んだときはステップＳ１０へ進む。ステップＳ１０で現状を変更するか否かの選択が行われ、変更するときはステップＳ２へ戻り、変更しないときはステップＳ１１へ進む。
【００１９】
次にステップＳ１１で演算結果を印刷磁気保存するか否かの選択が行われ、印刷磁気保存するを選択したときはステップＳ１２で演算結果が印刷磁気保存され、ステップＳ１３へ進む。ステップＳ１１で演算結果を印刷磁気保存しないを選択したときは、ステップＳ１３へ進む。ステップＳ１３で終了か否かの選別が行われ、終了するときはエンドへ進み、終了しない（更に改善する）ときはステップＳ５へ戻る。
【００２０】
図７の入力例では、改善２を予定しているので、ステップＳ１３からステップＳ５へ戻り、改善１のときと同様にして改善２の改善値を入力し、ステップＳ６で演算し、ステップＳ７で演算結果のデータ（改善２）が表示される。改善２の演算結果をステップＳ９で登録すると、図７の表に現状、改善１、改善２のデータが表示される。この表から改善２の消費流量が最も少ないことが判明する。
【００２１】
次に上流配管系の最適化について説明する。上流配管系の最適化では、減圧弁からノズルまでの配管及び機器の計算が、現状把握と新規の場合に分けて行われる。図１のステップＳ１で「上流配管系の最適化」を選択し、パソコンの画面で「上流配管系の最適化」のタグをクリックすると、パソコン画面が図９の形式の「上流配管系の最適化」の画面に切り換えられる。切り換え直後にはデータは入力されていないが、図９は現状把握の最終局面であり、入力例のデータが表示されている。
【００２２】
図１のステップＳ１４で新規か現状把握かの選択を問われ、現状把握を選択すると、ステップＳ１５で現状入力を行い、ステップＳ１６へ進む。図９では左枠の最上部の「現状把握」をクリックし、「現状把握」の表示の下側の位置の入力欄に現状値を順次入力する。すなわち、▲１▼ノズル径、▲２▼ノズル個数、▲３▼ノズル直前圧，ブロー衝突圧（及びワーク距離），減圧弁２次側圧の３つのうちの１つ、▲４▼上流配管系の「合成音速コンダクタンス」（ＩＳＯの定義，合成音速コンダクタンスを入力したときは臨界圧力比も入力する）又は「合成有効断面積」（ＪＩＳの定義）のいずれか１つ、▲５▼配管の材質（鋼管か樹脂管か）、▲６▼配管長さ、を現状値として入力する。なお、「合成音速コンダクタンス」及び「合成有効断面積」は、上流配管系内の流体の流れやすさを表す。また、臨界圧力比はチョーク流れと亜音速流れが切り換わる境界の圧力比であり、圧力比は〔２次側圧力〕／〔１次側圧力〕である。
【００２３】
図１のステップＳ１６で推奨回路設定入力を行い、ステップＳ１７で演算３を行う。推奨回路設定は、推奨回路を選定する際の基準となるものであり、図９に示すとおり、「上流側圧力損失」又は「コンダクタンス比」のどちらかを選択し、設定値を入力する。なお、〔コンダクタンス比〕は〔上流側機器の「合成音速コンダクタンス」又は「合成有効断面積」〕／〔ノズルの「音速コンダクタンス」又は「有効断面積」〕である。次に、図９の「計算」ボタンをクリックして、ステップＳ１７の演算３を行う。
【００２４】
ステップＳ１７の演算３は図４のフローチャートに従って行われる。ステップＳ１７−１で現状値の▲３▼として「ノズル直前圧」、「ブロー衝突圧」、「減圧弁２次側圧」のいずれを選択したかが判別される。ステップＳ１７−１で「ノズル直前圧」を選択したと判別されたときは、ステップＳ１７−２でノズルの流量Ｑの計算が、ステップＳ１７−２の枠内の計算式に従って行われ、ステップＳ１７−３へ進む。
【００２５】
ステップＳ１７−３で現状値の▲４▼として「合成有効断面積」、「合成音速コンダクタンス」のどちらを選択したかが判別される。ステップＳ１７−３で「合成有効断面積」を選択したと判別されたときは、ステップＳ１７−４で「合成有効断面積」を「合成音速コンダクタンス」に換算する計算が、ステップＳ１７−４の枠内の計算式に従って行われ、ステップＳ１７−５へ進む。
【００２６】
ステップＳ１７−５では、コンダクタンス比の計算がステップＳ１７−５の枠内の計算式に従って行われ、ステップＳ１７−６で減圧弁２次側圧Ｐ１がノズル直前圧Ｐ０に等しいこととされ、ステップＳ１７−７へ進む。ステップＳ１７−３で「合成音速コンダクタンス」を選択したと判別されたときは、ステップＳ１７−５へ進む。
【００２７】
ステップＳ１７−７では、上流側配管系の流量Ｑ０の計算が、ステップＳ１７−７の枠内の計算式に従って行われ、ステップＳ１７−８で上流側配管系の流量Ｑ０がノズルの流量Ｑ以上か否かの判別が行われる。ステップＳ１７−８で流量Ｑ０が流量Ｑ以上であると判別されたときは、ステップＳ１７−１０で上流側圧力損失の計算がステップＳ１７−１０内の計算式に従って行われ、図１のステップＳ１８へ進む。ステップＳ１７−８で流量Ｑ０が流量Ｑ以上ではないと判別されたときは、ステップＳ１７−９でＰ１＝Ｐ１＋０．００１として、ステップＳ１７−７へ戻される。
【００２８】
ステップＳ１７−１で、現状値として「ブロー衝突圧」を選択したと判別されたときは、ステップＳ１７−１１で、ノズル直前圧を求める計算がステップＳ１７−１１の枠内の計算式に従って行われ、ステップＳ１７−２へ進む。
【００２９】
ステップＳ１７−１で、現状値として「減圧弁２次側圧」を選択したと判別されたときは、ステップＳ１７−１２で現状値の▲４▼として「合成有効断面積」、「合成音速コンダクタンス」のどちらを選択したかが判別される。ステップＳ１７−１２で「合成有効断面積」を選択したと判別されたときは、ステップＳ１７−１３でステップＳ１７−４と同じ計算が行われ、ステップＳ１７−１４へ進む。ステップＳ１７−１２で「合成音速コンダクタンス」を選択したと判別されたときは、ステップＳ１７−１４へ進む。
【００３０】
ステップＳ１７−１４でノズルの音速コンダクタンスと上流側配管系の合成音速コンダクタンスの合成が、ステップＳ１７−１４の枠内の計算式に従って行われ、ステップＳ１７−１５へ進む。ステップＳ１７−１５でシステムの流量Ｑの計算が、ステップＳ１７−１５の枠内の計算式に従って行われ、ステップＳ１７−１６へ進む。
【００３１】
ステップＳ１７−１６で、ノズル直前圧Ｐ０が減圧弁２次側圧Ｐ１に等しいこととされ、ステップＳ１７−１７へ進む。ステップＳ１７−１７では、ノズルの流量Ｑ０の計算が、ステップＳ１７−１７の枠内の計算式に従って行われ、ステップＳ１７−１８でノズルの流量Ｑ０がシステムの流量Ｑ以下か否かの判別が行われる。ステップＳ１７−１８で流量Ｑ０が流量Ｑ以下であると判別されたときは、ステップＳ１７−２０でコンダクタンス比の計算がステップＳ１７−２０内の計算式に従って行われ、ステップＳ１７−１０へ進む。ステップＳ１７−１８で流量Ｑ０が流量Ｑ以下ではないと判別されたときは、ステップＳ１７−１９でＰ１＝Ｐ１−０．００１として、ステップＳ１７−１７へ戻される。
【００３２】
図１のステップＳ１７の演算結果の上流側圧力損失，コンダクタンス比が、ステップＳ１８で出力され、ステップＳ１９でステップＳ１７の演算結果が推奨回路の設定値（ステップＳ１６で入力したもの）を満足するか否かの判別が行われる。ステップＳ１９でステップＳ１７の演算結果が推奨回路の設定値を満足すると判別されたときはステップＳ２０へ進み、満足していないと判別されたときはステップＳ２３へ進む。
【００３３】
図９の入力例では、現状値がノズル内径２ｍｍ、ノズル個数１０、ノズル直前圧０．２ＭＰａ  、合成音速コンダクタンス５ｄｍ３／（ｓ・  ｂａｒ）、臨界圧力比０．５、配管長１０ｍ  、配管材質が鋼管、推奨回路の設定値が上流側圧力損失０．０３ＭＰａ  以内である。演算結果は図９の大枠の右下の位置に表示され、現状の上流側圧力損失は０．０９６ＭＰａ  、コンゴクタンス比は０．８８４１：１となり、推奨回路の設定値を満足していない。
【００３４】
ステップＳ２３では、ステップＳ１６又はステップＳ２２で入力した設定値を満たすための電磁弁音速コンダクタンス及び配管内径の計算が行われ、ステップＳ２４へ進む。ステップＳ２３の演算４は、図５のフローチャートに従って行われる。
【００３５】
図５のステップＳ２３−１では、推奨回路設定で上流側圧力損失を入力したかコンダクタンス比を入力したかが判別される。ステップＳ２３−１でコンダクタンス比を入力したと判別されたときは、ステップＳ２３−２で推奨回路合成音速コンダクタンスの計算が、ステップＳ２３−２の枠内の計算式に従って行われ、ステップＳ２３−３へ進む。
【００３６】
ステップＳ２３−１で上流側圧力損失を入力したと判別されたときは、ステップＳ２３−４で推奨回路減圧弁２次側圧の計算が、ステップＳ２３−４の枠内の計算式に従って行われ、ステップＳ２３−５へ進む。ステップＳ２３−５で推奨回路合成音速コンダクタンスＣ２＝０とされ、ステップＳ２３−６へ進む。
【００３７】
ステップＳ２３−６では、推奨回路上流側配管系流量Ｑ０の計算が、ステップＳ２３−６の枠内の計算式に従って行われ、ステップＳ２３−７で推奨回路上流側配管系流量Ｑ０がノズルの流量Ｑ以上か否かの判別が行われる。ステップＳ２３−７で流量Ｑ０が流量Ｑ以上であると判別されたときは、ステップＳ２３−３へ進む。ステップＳ２３−７で流量Ｑ０が流量Ｑ以上ではないと判別されたときは、ステップＳ２３−８でＣ２＝Ｃ２＋０．００１として、ステップＳ２３−６へ戻される。
【００３８】
ステップＳ２３−３で推奨回路電磁弁音速コンダクタンス及び推奨回路配管内径の計算が、ステップＳ２３−３の枠内の計算式に従って行われ、図１のステップＳ２４へ進む。ステップＳ２４では、ステップＳ２３での演算結果を基にし、各機器データベースの情報を参照して、推奨回路の設定値を満たす上流側配管系機器（電磁弁，配管）及び減圧弁を抽出し、ステップＳ２５へ進む。なお、各機器データベースは、弁データベース及び配管データベースからなり、ここに選定される機器すなわち弁（減圧弁，電磁弁）及び配管のデータ（品番、名称、内径、管摩擦係数等のデータ）が予め記憶されている。ステップＳ２５で推奨回路機器の品番が出力され、図９の機種名（減圧弁，電磁弁，配管）に対応した品番の欄に表示され、ステップＳ２６へ進む。
【００３９】
ステップＳ２６で演算５が図６のフローチャートに従って行われ、その結果がステップＳ２７で出力される。ステップＳ２６−１で推奨回路の上流側配管系の合成音速コンダクタンスの計算が、ステップＳ２６−１の枠内の計算式に従って行われ、続いてステップＳ２６−２でコンダクタンス比の計算が、ステップＳ２６−２の枠内の計算式に従って行われる。Ｓ２６−３で減圧弁２次側圧Ｐ１がノズル直前圧Ｐ０に等しいこととされ、ステップＳ２６−４で上流配管系での流量Ｑ０の計算が、ステップＳ２６−４の枠内の計算式に従って行われ、ステップＳ２６−５で上流側配管系の流量Ｑ０がノズルの流量Ｑ以上か否かの判別が行われる。ステップＳ２６−５で流量Ｑ０が流量Ｑ以上であると判別されたときは、ステップＳ２６−７で推奨回路上流側圧力損失の計算がステップＳ２６−７０内の計算式に従って行われ、図１のステップＳ２７へ進む。ステップＳ２６−５で流量Ｑ０が流量Ｑ以上ではないと判別されたときは、ステップＳ２６−６でＰ１＝Ｐ１＋０．００１として、ステップＳ２６−４へ戻される。
【００４０】
ステップＳ２７で上流側圧力損失及びコンダクタンス比が出力され、図９の推奨回路の欄（大枠内の右下）にデータが表示される。図９の入力例では、ステップＳ２６で示された推奨回路の上流側圧力損失は０．０２５ＭＰａ  、コンダクタンス比は１．９３９６：１となり、上流側圧力損失が設定した条件を満たしていることが判明する。
【００４１】
図１のステップＳ１４で新規を選択すると、ステップＳ２１で新規値の入力を行い、ステップＳ２２へ進む。パソコン画面の「新規」をクリックし、図１０の「新規」の表示の下側の位置の入力欄に新規のデータを順次入力する。すなわち、ノズル径、ノズル個数、ノズル直前圧又はブロー衝突圧（及びワーク距離）のうちの１つ、配管の材質（「鋼管」か「樹脂」管か）、配管長さを新規値として入力する。なお、新規の場合は「減圧弁２次側圧」は分からないのが前提であり、このデータが入力されることはない。
【００４２】
ステップＳ２２で推奨回路の設定値の入力では、「上流側圧力損失」又は「コンダクタンス比」のどちらかを選択し、設定値を入力する。図１０の「計算」ボタンをクリックして、ステップＳ２３の演算４を行う。ステップＳ２３からステップＳ２７は前記の説明のとおりである。
【００４３】
図１０の入力例では、新規値はノズル内径２ｍｍ、ノズル個数５、ブロー衝突圧０．００１ＭＰａ  、ワーク距離３００ｍｍ、配管長４ｍ、配管材質：樹脂、設定値はコンダクタンス比は２：１以上とした。ステップＳ２５で出力された機種の品番が図１０に表示され、またステップＳ２６で出力された上流側圧力損失は０．０２２ＭＰａ  、及びコンダクタンス比は２．８７７９：１であり、ステップＳ２２で設定した条件を満たしていることが判明する。
【００４４】
ステップＳ２０で結果を印刷するか否かが問われ、印刷する旨を選択したときはステップＳ２８で結果印刷を行い、ステップＳ２９へ進む。ステップＳ２０で印刷しないを選択したときは、ステップＳ２９へ進む。ステップＳ２９で終了か否かが問われ、終了しないを選択したときはステップＳ１４へ戻り、終了するを選択したときはエンドとなる。
【００４５】
【発明の効果】
請求項１のエアブローシステムの機器選定方法では、現状のノズル径、ワーク距離、ノズル直前圧又はブロー衝突圧が現状値として入力され、現状値から圧縮空気の消費流量、ブロー衝突圧又はノズル直前圧が演算され、演算結果から判断してノズル径又はノズル直前圧の改善値が入力され、改善値から圧縮空気の消費流量、ノズル直前圧又はノズル径が必要回数だけ演算され、圧縮空気の消費流量最低のノズル径及びノズル直前圧が選定される。従って、圧縮空気の消費流量を減少させるためのノズル径及びノズル直前圧の演算を容易に行われる。
請求項２〜４のエアブローシステムの機器選定方法では、ノズル上流の配管系の上流側圧力損失又はコンダクタンス比を所定値に維持するための上流配管系機器及び減圧弁の選定が行われる。
請求項５〜８では、請求項１〜４のいずれか一つの機器選定方法のプログラムを記録した記録媒体が保護される。
【図面の簡単な説明】
【図１】本発明のエアブローシステムの機器選定方法の実施の形態のフローを示すフローチャートである。
【図２】図１中のステップＳ３の演算のフローを示すフローチャートである。
【図３】図１中のステップＳ６の演算のフローを示すフローチャートである。
【図４】図１中のステップＳ１７の演算のフローを示すフローチャートである。
【図５】図１中のステップＳ２３の演算のフローを示すフローチャートである。
【図６】図１中のステップＳ２６の演算のフローを示すフローチャートである。
【図７】本発明の実施の形態に使用するパソコンの画面（ブローノズルの最適化，改善）を示す。
【図８】本発明の実施の形態に使用するパソコンの画面（ブローノズルの最適化，現状入力）を示す。
【図９】本発明の実施の形態に使用するパソコンの画面（上流配管系の最適化，現状把握）を示す。
【図１０】本発明の実施の形態に使用するパソコンの画面（上流配管系の最適化，新規）を示す。
【図１】
0003546173.tif 000002
【図２】
0003546173.tif 000003
【図３】
0003546173.tif 000004
【図４】
0003546173.tif 000005
【図５】
0003546173.tif 000006
【図６】
0003546173.tif 000007
【図７】
0003546173.tif 000008
【図８】
0003546173.tif 000009
【図９】
0003546173.tif 000010
【図１０】
0003546173.tif 000011